(57)【要約】【課題】気密保持用の二重容器などのコストがかさむ特別な構造の追加を必要とせず、簡単な構成でありながら、水晶素板が発振器内部の天井や床に直接接触することを防止でき、外部温度変化による発振周波数への影響を安定させることができるようにする。【解決手段】水晶素板１２は導電性接着剤１４によりパッケージ１１の上に支えられているが、傾きなどにより水晶素板１２が蓋１３や制御用ＩＣ１５と接触する場合がある。水晶素板１２が傾いている状態では、断熱部１６に接触した状態にある。このような場合においても、外部温度は断熱部により直ぐには水晶素板に伝わらず、このことにより外部温度変化によって発振周波数が影響を受ける時間を一定にすることが可能となる。【選択図】図１
2008236023.tif 000002
【特許請求の範囲】
【請求項１】
壁面で囲われた内部に水晶素板が配設された水晶発振器であって、
前記水晶素板の一部が導電性接着手段により前記水晶発振器本体に対して接着され、
前記水晶発振器の内側部分における、前記水晶素板の他の部分が接触する可能性のある部分に断熱部材が貼設されたことを特徴とする水晶発振器。
【請求項２】
前記断熱部材は、
前記水晶発振器内部の前記壁面と、
前記水晶発振器の制御用ＩＣにおける前記水晶素板の平面部分に略平行な平面部と、に貼設されたことを特徴とする請求項１記載の水晶発振器。
【請求項３】
壁面で囲われた内部に水晶素板が配設された水晶発振器であって、
前記水晶素板の一部が導電性接着手段により前記壁面に対して接着され、
前記壁面における、前記水晶素板の他の部分が該壁面に対して接触する可能性のある部分に断熱部材が貼設されたことを特徴とする水晶発振器。
【請求項４】
前記断熱部材は、
前記壁面における、前記水晶素板の平面部分に略平行な平面部に貼設されたことを特徴とする請求項３記載の水晶発振器。
【請求項５】
前記断熱部材は、
前記水晶素板が前記導電性接着手段により接着された状態で、該水晶素板の傾きが変化した時に接触しうる部分に貼設されたことを特徴とする請求項１から４の何れか１項に記載の水晶発振器。
【請求項６】
前記断熱部材は、シート状であることを特徴とする請求項１から５の何れか１項に記載の水晶発振器。
【請求項７】
前記壁面は、前記水晶素板を収納する水晶素板用パッケージと、制御用ＩＣ用パッケージと、により構成され、
前記断熱部材は、前記水晶素板用パッケージ内の壁面に貼設されたことを特徴とする請求項１から６の何れか１項に記載の水晶発振器。
【発明の詳細な説明】
【技術分野】
【０００１】
本発明は、水晶素板が導電性接着剤で内部に接着されて設けられた水晶発振器に関する。
【背景技術】
【０００２】
従来より、水晶素板を用いる水晶発振器がある。
こうした従来の水晶発振器として、気密保持機構として二重容器から形成された水晶振動子において、水晶振動素子を気密封止し、この内側の気密保持構成された水晶振動子の周辺を取り囲むように液体または気体あるいは固体を充填した容器の全体を気密封止構造としたものがある（例えば、特許文献１参照）。
【特許文献１】特開２０００−２９５０６６号公報
【発明の開示】
【発明が解決しようとする課題】
【０００３】
しかしながら、従来の水晶発振器では、水晶素板が発振器内部の天井や床に接触した場合、水晶素板に発振器外部の温度が伝わり易くなり、外部温度変化によって発振周波数に影響が出る時間が早くなるという問題があった。
【０００４】
また、上述した特許文献１のものでは、気密保持用の二重容器や、その容器の気密封止構造といったコストのかさむ特別な構成が必要となってしまい、コスト高になってしまう虞があった。
【０００５】
本発明はこのような状況に鑑みてなされたものであり、気密保持用の二重容器などのコストがかさむ特別な構造の追加を必要とせず、簡単な構成でありながら、水晶素板が発振器内部の天井や床に直接接触することを防止でき、外部温度変化による発振周波数への影響を安定させることができる水晶発振器を提供することを目的とする。
【課題を解決するための手段】
【０００６】
かかる目的を達成するために、本発明に係る水晶発振器は、壁面で囲われた内部に水晶素板が配設された水晶発振器であって、上記水晶素板の一部が導電性接着手段により上記水晶発振器本体に対して接着され、上記水晶発振器の内側部分における、上記水晶素板の他の部分が接触する可能性のある部分に断熱部材が貼設されたことを特徴とする。
【０００７】
上記断熱部材は、上記水晶発振器内部の上記壁面と、上記水晶発振器の制御用ＩＣにおける上記水晶素板の平面部分に略平行な平面部と、に貼設されたことが好ましい。
【０００８】
また、本発明に係る水晶発振器は、壁面で囲われた内部に水晶素板が配設された水晶発振器であって、上記水晶素板の一部が導電性接着手段により上記壁面に対して接着され、上記壁面における、上記水晶素板の他の部分が該壁面に対して接触する可能性のある部分に断熱部材が貼設されたことを特徴とする。
【０００９】
上記断熱部材は、上記壁面における、上記水晶素板の平面部分に略平行な平面部に貼設されたことが好ましい。
【００１０】
上記断熱部材は、上記水晶素板が上記導電性接着手段により接着された状態で、該水晶素板の傾きが変化した時に接触しうる部分に貼設されたことが好ましい。
上記断熱部材は、シート状であることが好ましい。
【００１１】
上記壁面は、上記水晶素板を収納する水晶素板用パッケージと、制御用ＩＣ用パッケージと、により構成され、上記断熱部材は、上記水晶素板用パッケージ内の壁面に貼設されたことが好ましい。
【発明の効果】
【００１２】
以上のように、本発明によれば、気密保持用の二重容器などのコストがかさむ特別な構造の追加を必要とせず、簡単な構成でありながら、水晶素板が発振器内部の天井や床に直接接触することを防止でき、外部温度変化による発振周波数への影響を安定させることができる。
【発明を実施するための最良の形態】
【００１３】
次に、本発明に係る水晶発振器を適用した一実施形態について、図面を用いて詳細に説明する。
本実施形態の水晶発振器は、内部の水晶素板の状態によらず外部温度変化によって発振周波数に影響が出る時間を一定にすることができる好適なものを例示している。
【００１４】
〔第１の実施形態〕
図１は本発明の第１の実施形態による水晶発振器の構成の概要を示したものである。
この図１に示すように、本実施形態としての水晶発振器は、水晶素板１２が導電性接着剤１４によりパッケージ１１の上に支えられ、水晶素板の上部にある蓋１３の下面と、水晶素板の下部に位置する制御用ＩＣ１５の上面とに、熱伝導性の低いことを特徴とする断熱部（断熱部材）１６が設けられて構成されている。
【００１５】
このように、水晶発振器のパッケージ１１や蓋１３による壁面で囲われた内部に水晶素板１２が配設され、この水晶素板１３の一部が導電性接着剤１４により水晶発振器本体のパッケージ１１に対して接着されている。
また、水晶発振器の内側部分における、水晶素板１２の他の部分が接触する可能性のある部分に、シート状の断熱部１６が貼設されて構成される。
【００１６】
より詳述すると、このシート状の断熱部１６は、水晶発振器内部の壁面を構成している蓋１３の内側平面部と、水晶発振器の制御用ＩＣ１５における、水晶素板１２の平面部分に略平行な平面部と、に貼設される。
【００１７】
このことにより、水晶素板１２が導電性接着剤１４により接着された状態で、この水晶素板１２の傾きが変化した時に接触しうる部分をカバーするように断熱部１６が貼設される構成となっている。
【００１８】
以上のように構成されることによる作用について説明する。
図１において、水晶素板１２は導電性接着剤１４によりパッケージ１１の上に支えられているが、傾きなどにより水晶素板１２が蓋１３や制御用ＩＣ１５と接触する場合がある。
こうして水晶素板１２が傾いた状態を図２、図３に示す。
図２および図３に示す状態では、水晶素板１２が傾いている状態になり、断熱部１６に接触した状態にある。このような場合においても、外部温度は断熱部により直ぐには水晶素板に伝わらず、このことにより外部温度変化によって発振周波数が影響を受ける時間を一定にすることが可能となる。
【００１９】
以上説明したように、本実施形態によれば、以下に記載する効果を奏する。
熱伝導性の低い断熱部により水晶素板が発振器内部の天井や床と直接接触しない構造であることにより、たとえ水晶素板１２が傾いた場合であっても外部の温度変化が水晶素板１２に伝わりにくくなり、外部温度変化による発振周波数への影響が出る時間を一定にする効果を奏する。
【００２０】
このように、上述した実施形態によれば、二重容器や気密封止構造といったコストのかさむ特別な構造を必要とせず、シート状の断熱部材を所定位置に貼付するだけで、水晶素板１２が発振器内部の天井や床に直接接触することを防止でき、外部温度変化による発振周波数への影響を安定させることができる。
【００２１】
〔第２の実施形態〕
次に、本発明の第２の実施形態について説明する。
図４は、第２の実施形態としての水晶発振器の構成の概要を示したものである。
この図４に示すように、第２の実施形態では、水晶素板１２が導電性接着剤２４によりパッケージ２１の上に支えられている。パッケージ２１には水晶素板１２が傾いたときに接触する部分に熱伝導性の低い断熱部２６が設けられている。
制御用ＩＣ１５は、パッケージ２１における、水晶素板１２とは別に区切られた空間に設けられる。
【００２２】
このように、水晶発振器のパッケージ２１や蓋２３による壁面で囲われた内部に水晶素板１２が配設され、この水晶素板１２の一部が導電性接着剤２４により水晶発振器本体のパッケージ２１に対して接着されている。
また、水晶発振器のパッケージ２１や蓋２３による内側の壁面における、水晶素板１２の他の部分が接触する可能性のある部分に、シート状の断熱部２６が貼設されて構成される。
【００２３】
より詳述すると、このシート状の断熱部２６は、水晶発振器内部の壁面を構成している蓋２３の内側平面部と、パッケージ２１の壁面における、水晶素板１２の平面部分に略平行な平面部と、に貼設される。
【００２４】
このことにより、水晶素板１２が導電性接着剤２４により接着された状態で、この水晶素板１２の傾きが変化した時に接触しうる部分をカバーするように断熱部１６が貼設される構成となっている。
【００２５】
以上により、本実施形態によれば、上述した第１の実施形態と同様の作用が得られ、水晶素板１２が蓋２３やパッケージ２１に直接接触することを防ぎ、外部温度変化によって発振周波数に影響が出る時間を一定にする効果を奏する。
【００２６】
このように、上述した実施形態によれば、二重容器や気密封止構造といったコストのかさむ特別な構造を必要とせず、シート状の断熱部材を所定位置に貼付するだけで、水晶素板１２が発振器内部の天井や床に直接接触することを防止でき、外部温度変化による発振周波数への影響を安定させることができる。
【００２７】
〔第３の実施形態〕
次に、本発明の第３の実施形態について説明する。
図５は、第３の実施形態としての水晶発振器の構成の概要を示したものである。
この図５に示すように、第３の実施形態では、水晶素板１２は導電性接着剤２４によりパッケージ３１の上に支えられている。パッケージ３１には水晶素板１２が傾いたときに接触する部分に熱伝導性の低い断熱部２６が設けられている。
制御用ＩＣ１５は、パッケージ３１下部に連接されるパッケージ３７内に配設される。
【００２８】
このように、水晶発振器のパッケージ３１や蓋３３による壁面で囲われた内部に水晶素板１２が配設され、この水晶素板１２の一部が導電性接着剤２４により水晶発振器本体のパッケージ２１に対して接着されている。
また、水晶発振器のパッケージ３１や蓋３３による内側の壁面における、水晶素板１２の他の部分が接触する可能性のある部分に、シート状の断熱部１６が貼設されて構成される。
【００２９】
より詳述すると、このシート状の断熱部２６は、水晶発振器内部の壁面を構成している蓋３３の内側平面部と、パッケージ３１の壁面における、水晶素板１２の平面部分に略平行な平面部と、に貼設される。
【００３０】
このことにより、水晶素板１２が導電性接着剤２４により接着された状態で、この水晶素板１２の傾きが変化した時に接触しうる部分をカバーするように断熱部２６が貼設される構成となっている。
【００３１】
以上により、本実施形態によれば、上述した第１、第２の実施形態と同様の作用が得られ、水晶素板１２が蓋３３やパッケージ３１に直接接触することを防ぎ、外部温度変化によって発振周波数に影響が出る時間を一定にする効果を奏する。
【００３２】
このように、上述した実施形態によれば、二重容器や気密封止構造といったコストのかさむ特別な構造を必要とせず、シート状の断熱部材を所定位置に貼付するだけで、水晶素板１２が発振器内部の天井や床に直接接触することを防止でき、外部温度変化による発振周波数への影響を安定させることができる。
【００３３】
なお、上述した各実施形態は本発明の好適な実施形態であり、本発明はこれに限定されることなく、本発明の技術的思想に基づいて種々変形して実施することが可能である。
【産業上の利用可能性】
【００３４】
本発明に係る水晶発振器は、例えば携帯電話機、基地局装置等の高周波装置や高周波部品の検査装置など、各種の用途に適用が可能である。
【図面の簡単な説明】
【００３５】
【図１】本発明の第１の実施形態としての水晶発振器の構成概略を示す断面図である。
【図２】該水晶発振器で水晶素板１２が傾いた状態を示す図である。
【図３】該水晶発振器で水晶素板１２が傾いた状態を示す図である。
【図４】本発明の第２の実施形態としての水晶発振器の構成概略を示す断面図である。
【図５】本発明の第３の実施形態としての水晶発振器の構成概略を示す断面図である。
【符号の説明】
【００３６】
１１、２１、３１    パッケージ
１２    水晶素板
１３、２３、３３    蓋
１４、２４    導電性接着剤（導電性接着手段の一例）
１５    制御用ＩＣ
１６    断熱部（断熱部材）
【図１】
2008236023.tif 000003
【図２】
2008236023.tif 000004
【図３】
2008236023.tif 000005
【図４】
2008236023.tif 000006
【図５】
2008236023.tif 000007